(57)【特許請求の範囲】
【請求項１】
液体取り入れ、再湿潤、マスキングおよび着用感に関する高められた性能を有する吸収性製品であって：該製品は長手軸および横方向軸を有し；トップシート、バックシートおよび上記トップシートと上記バックシートの間に位置する吸収性構成物の３つの主たる要素を具備し；前記製品と前記それぞれの主要素は着用者側表面と衣服側表面とを有すると共に、
−  前記トップシートは、該トップシートの着用者側表面を提供する第一通過層を具備することと、
−  前記トップシートは、前記第一通過層と前記吸収性構成物の間に位置する第二通過層を具備することと、
−  前記第一通過層は、大型液体輸送孔を有するフィルム材料により提供されることと、
−  前記大型液体輸送孔は、個々の解放面積が、１．４ｍｍ2から３．０ｍｍ2の範囲にあることと、
−  前記大型液体輸送孔は、前記第一通過層の総面積の５％から２０％の範囲の総解放面積を有することと、
−  前記大型液体輸送孔は、該大型液体輸送孔が前記トップシートの第一通過層の最も広い横方向幅の長手中央９０％にのみ分布するような分布に従うことと、
−  前記液体輸送孔は、最長の内側対角線の長さと最短の内側対角線の長さを有し、この［最長内側対角線］：［最短内側対角線］の割合が１から６の範囲にあることと、
−  第二通過層は、液体輸送のための小型孔を具備する第二フィルム材料により提供されることと、
−  前記第二フィルム材料における前記小型孔は、０．１５ｍｍ2から１．４ｍｍ2未満の範囲の個々の面積を有することと、
−  該第二フィルム材料における前記小型孔は、前記第二通過層の総面積の１０％から４０％の範囲の総解放面積を有することと、
−  前記第二フィルム材料における前記小型孔は、最長内側対角線の長さと最短内側対角線の長さを有し、その［最長内側対角線］：［最短内側対角線］の割合が１から６の範囲であることと、
とを特徴とする吸収性製品。
【請求項２】
請求項１に記載の吸収性製品であって、前記大型液体輸送孔が、該トップシートの第一通過層の最長横方向幅の長手方向中央８０％のみに分布している吸収性製品。
【請求項３】
液体の取り入れ、再湿潤、マスキングおよび着用感に関する高められた性能を有する吸収性製品であって：該製品は長手軸および横方向軸を有し；トップシート、バックシートおよび上記トップシートと上記バックシートの間に位置する吸収性構成物の３つの主たる要素を具備し；前記製品とそれぞれの主要要素は着用者側表面と衣服側表面を有し；前記製品は羽根または側部ラッピング要素（該羽根または側部ラッピング要素は折り曲げ軸に沿ってそれぞれ折り畳むことができる）を具備すると共に、前記トップシートが以下の特徴を具備する；
−  前記トップシートは、該トップシートの着用者側表面を提供し、且つ前記羽根または側部ラッピング要素の少なくとも一部を一体的に形成している第一通過層を具備することと、
−  前記トップシートは、前記第一通過層と前記吸収性構成物の間に位置する第二通過層を具備することと、
−  前記第一通過層は、大型液体輸送孔を有するフィルム材料により提供されることと、
−  前記大型液体輸送孔は、個々の解放面積が１．４ｍｍ2から３．０ｍｍ2の範囲にあることと、
−  前記大型液体輸送孔は、前記第一通過層の総面積の５％から２０％の範囲の総解放面積を有することと、
−  前記大型液体輸送孔は、該大型液体輸送孔が前記羽根若しくは側部ラッピング要素の折り曲げ軸の間の最短横方向幅距離の長手中央９０％にのみ分布するような分布に従うことと、
−  前記液体輸送孔は、最長の内側対角線の長さと最短の内側対角線の長さを有し、この［最長内側対角線］：［最短内側対角線］の割合が１から６の範囲にあることとと、
−  第二通過層は、液体輸送のための小型孔を具備する第二フィルム材料により提供されることと、
−  前記第二フィルム材料における前記小型孔は、０．１５ｍｍ2から１．４ｍｍ2未満の範囲の個々の面積を有することと、
−  該第二フィルム材料における前記小型孔は、前記第二通過層の総面積の１０％から４０％の範囲の総解放面積を有することと、
−  前記第二フィルム材料における前記小型孔は、最長内側対角線の長さと最短内側対角線の長さを有し、その［最長内側対角線］：［最短内側対角線］の割合が１から６の範囲であることと、
とを特徴とする吸収性製品。
【請求項４】
請求項３に記載の吸収性製品であって、前記大型液体輸送孔が、前記羽根若しくは側部ラッピング要素の折り曲げ軸の間の最長横方向距離の長手方向中央８５％のみに分布する吸収性製品。
【請求項５】
請求項１から４の何れか１項に記載の吸収性製品であって、前記第一通過層が、更に液体輸送のための小型孔を有するフィルム材料によって提供され；
−  前記小型孔は、０．１５ｍｍ2から１．４ｍｍ2未満の範囲で個々の解放面積を有することと、
−  前記第一通過層における全ての上記液体輸送孔の総解放面積が、前記第一通過層の総面積の１０％から４０％の範囲で存在すること
とを特徴とする吸収精製品。
【請求項６】
請求項５に記載の吸収性製品であって、該小型孔が０．２５ｍｍ2から０．４ｍｍ2の範囲の個々の解放面積を有する吸収性製品。
【請求項７】
請求項１から６の何れか１項に記載の吸収性製品であって、前記大型液体輸送孔が、該製品の着用者側表面の最長な長手方向の長さの横方向中央の８０％のみに分布する吸収性製品。
【請求項８】
請求項１から７の何れか１項に記載の吸収性製品であって、前記第二フィルム材料が小型孔のみを有する吸収性製品。
【請求項９】
請求項１〜８の何れか１項に記載の吸収性製品であって、第一、第二の両該通過層が互いに直接接合している吸収性製品。
【発明の詳細な説明】
発明の分野
本発明は、吸収性製品、特に施層されたトップシートを有する生理用ナプキンに関する。特に、吸収されるべき液体を受ける第一層が、フイルムの長手方向の中央に少なくとも１．４ｍｍ2の面積の孔を具備する。第二フイルム層は、１．４ｍｍ2未満の面積の孔を通しての吸収性構成物への液体輸送を提供する。加えて、該第二層は、該第一トップシート層の大型孔領域において吸収された液体の視覚的マスキングを提供する。該第一層における該孔はまた、好ましくはフイルムの横方向中央のみに提供される。孔の分布は、使用時の着用感を改善するために、トップシートの一定の長手方向の端および好ましくは横方向の端には該大型孔を穿孔しない。
発明の背景
生理用ナプキン、乳児用おむつ、挿入用吸収性製品および大人用失禁用吸収性製品のような衛生用品は、当該分野において周知である。典型的には、これら全ての製品は、着用者側表面（「内側の」）と衣服側表面（「外側の」）を具備する。この着用者側表面は、そのような製品を着用している者から、吸収されるべき液体、即ち月経血等の生体排泄物を受ける。該製品が液体を維持するために、該着用者側表面は液体透過性を持たねばならず、同時に、吸収性製品の着用者側表面の外側は清潔に維持されなくてはならない。この着用者側表面はトップシートにより提供され、該着用者側表面は着用者の皮膚との接触面である。
当該吸収性製品の分野で周知のトップシートは、不織布、織布またはフィルムである。フィルムは穿孔により透過性を与えなくてはならない。織布または不織布は、その性質上、それらを通過する液体輸送孔の選択された方向に依存し、多様で変化に富む大きさの非直線的な孔を提供する繊維で作られている。フィルムは重合性の材料で作られており、典型的には、一定の特徴を提供するように、巧みに設計された孔を具備する。これらの孔は、形と大きさについて多様に変化させることが出来る。そのフィルム厚レベルを越える伸張の量および方向（伸張があるとすれば）は、該孔の壁が制限する。また、該フィルムの孔は、漏斗形状でも提供できる。
ポリエチレンフィルムで作られた典型的なトップシートは、生理用品および大人用失禁用品並びに挿入物および乳児用おむつにおいて広く使用されている。残されている一つの問題は、通常の使用条件下でその様なトップシートを通過でき得る液体の総量であり、これは特に、全ての孔の解放面積の総量、および個々の孔の大きさと形に帰すべきものである。大型孔は、非常に液体通過の割合を増加できるが、月経血のような液体が着用者に見えた状態のままとなってしまうことから、マスキング（masking）の問題で困ることになり、望ましくないと見なされる。大型孔はまた、再湿潤（rewet）と呼ばれる吸収した液体の逆流をも助長し、これも望ましくない。その一方で、個々の小型孔は、表面張力の高い液体を通過させることを必要とする液体通過特性を提供できない；これは、無条件で非常に小さい孔にとっては問題となり得るか、または低すぎる液体流速率の原因ともなり得る。
所定の孔の大きさと形にとって、解放面積の総量は、液体通過率と略直線的な関係にあることも認められている。再び言及するが、通過した液体のマスキング、並びに材料の強度および他の外観上の考慮すべき問題は、選ばれ得るフィルムトップシートにおける総解放面積の程度を制限するものである。
現在認識されているもう一つの問題は、トップシートの着用者側表面の長手方向の側縁または横方向側端部における大型孔の存在が、好ましくない擦れや炎症の原因となり得るということである。これは、恐らく孔のリムを形成する材料の量が、小型の孔の場合よりも大型の孔の場合の方が多いことに起因するのであろうと考えられている。そのような製品による極些細な程度の炎症でさえも、顕著な不快感の原因になり得るということは周知のことである。実際、経験した不快感を訴える着用者は、そのような製品の受け入れがたい着用感のために、多角的な孔のトップシートにより得られる如何なる吸収力に関する利点についても、概して無視するであろう。この問題は概して、羽根または端を包み込むラッピング要素を有する製品の場合に強調される。
それ故に、本発明の目的は、生理用品のためのトップシートであって、一方では、トップシートと着用者の皮膚との間の動きが不快感を生じる領域に大型孔を有することに関する、不快感の原因になり得る問題を排除しながら、トップシートにおける大型孔の利点を提供するトップシートを提供することである。
前述したところから、マスキング、材料の強度、他の外観上の考慮すべき問題と総解放面積、並びに個々の孔サイズおよび形の間のバランスに関する問題が、当該技術の分野において存在するということも明白である。一つの側面において、本発明はこのバランスの問題についての選択基準を提供しようとするものではなく、トップシートの材料の強度および他の外観上の考慮すべき問題に関する容認さ得る特徴はそのまま維持しながら、迅速な液体取り込み能力並びに受け止めた液体の再湿潤およびマスキングに関して改良された吸収性製品を獲得するために、この問題に対するバランスを変更しようとするものである。
その結果、本発明の目的は、吸収性製品のための穿孔されたトップシートであって、吸収した液体の再湿潤およびマスキングを効果的に改良するかまたは少なくとも低下させることなく、不快感の発生を排除しながら大型孔の分布を提供すると共に、フィルム有孔トップシートにおいて通常許容されるとされるものよりも大型の孔を有するトップシートを提供することである。
発明の詳細な説明
本発明は、着用感、マスキングおよび再湿潤に関する当該技術の問題を伴わずに、大型孔フィルムトップシートの全ての利点を有した吸収性製品を提供する。特に、該吸収性製品は、着用者側表面と衣服側表面を持つラミネートトップシートを具備する。このトップシートは、好ましくは互いに接合した第一層および第二層を具備する。一般に、吸収性製品は更に、バックシートおよび吸収性構成物（吸収性芯とも呼ばれ、トップシートとバックシートとの間に位置する）を具備する。
本発明に従えば、二つのタイプの吸収性製品を区別しなければならない。即ち、羽根または側部ラッピング要素を有する吸収性製品であって、ここでの羽根または側部ラッピング要素がトップシートの少なくとも第一層を具備するものと、これを具備しないものである。好ましい羽根または側部ラッピング要素は一般的に、バックシート、トップシート、１層若しくは幾層かのトップシート若しくはバックシート、またはそれらの組み合を延設することによって提供されてよい。またはその代わりに、羽根または側部ラッピング要素は、該製品に別々に接合した材料によって提供されてもよい。羽根または側部ラッピング要素は、下着の脚開口部の側端を包み込むように曲げ軸にそって折り返される。それ故、トップシートの着用者側表面は、下着の横方向端と同様に着用者の皮膚と親密に接していることから、着用者に着用感を提供するに当たり最も決定的となるものである。
吸収性構成物
吸収性構成物は以下の要素を含むことができる：（ａ）所望に応じて第一体液分布層、好ましくは任意の第二体液分布層を伴う；（ｂ）体液貯蔵層；（ｃ）所望に応じて貯蔵層の下層に位置する繊維状（打ち粉；dusting）層；および（ｄ）他の任意の要素。
（ａ）第一／第二体液分布層
本発明の吸収性構成物の一つの任意要素は、第一体液分布層および第二体液分布層である。その第一分布層は、典型的にはトップシートの下層に位置し、それと共に体液輸送組織の中にある。該トップシートは、捕捉した体液をこの第一分布層に輸送し、最終分布のために貯蔵層に輸送する。この第一分布層を経た体液の輸送は、吸収性製品の厚みの方向だけではなく、長さや幅の方向に沿ってもまた見られる。任意ではあるが、好ましい第二分布層は典型的には第一分布層の下層に位置し、該第一分布層との間で液体が流通する状態にある。この第二分布層の目的は、体液を第一分布層から直ぐに捕捉し、それを迅速に下層にある貯蔵層に輸送することである。これは下層にある貯蔵層の体液許容量を十分に生かすことを助ける。体液分布層は、そのような分布層のための典型的は如何なる材料により構成されてもよい。特に、繊維層は繊維間にも毛細管を維持しているので、吸湿時でも分布層として有用である。
（ｂ）体液貯蔵層
第一または第二分布層との間で流体流通関係にあり、典型的にはその下層に位置しているのは、体液貯蔵層である。この体液貯蔵層は、如何なる通常の吸収性材料またはそれらを組み合わせたもので構成されてもよい。それは、吸収性ゲル状材料（通常、「ハイドロゲル」、「超吸収体」、「ハイドロコロイド」と呼ばれる材料）を適切な担体と組み合わせて具備することが好ましい。
該吸収性ゲル状材料は、大量の水性体液を吸収し易く、更にそのように吸収した体液を常圧下で維持し易い。この吸収性ゲル状材料は、均一にまたは非均一に適切な担体中に分散させてもよい。また、適切な担体は、それ自身が吸収体であれば、単独で使用してもよい。
ほとんどの場合、ここで使用する適切な吸収性ゲル状材料は、事実上非水溶性の、若干架橋し、部分的に中和された、重合性ゲル状材料を、具備するであろう。この材料は、水と接触してハイドロゲルを形成する。そのような重合性材料は、当業者に周知の、重合性で非飽和性の酸含有モノマーから製造することが出来る。
適切な担体は、吸収性構成物（天然の、化学的修飾または合成された繊維、特に修飾されたまたは非化学的修飾のセルロース繊維のような吸収性構成物）中に慣習的に利用されている材料を、綿毛および／または薄織布の形態で含んでいる。適切な担体は、吸収性ゲル状材料と共に使用してよいが、それらはまた、単独でも、組み合わせても使用してよい。最も好ましいのは、生理用ナプキンまたはパンティライナーにおける薄繊維または薄繊維ラミネートである。
本発明に従って作られた吸収性構成物の態様は、薄織布をそれ自身の上に折り畳むことにより形成した二重層薄織布ラミネートを具備する。これらの層は、例えば接着剤により、または機械的な相互固定により、または水素架橋結合により、互いに接合することができる。吸収性ゲル状材料または他の任意の材料をそれらの層の間に具備させてもよい。
強化セルロース繊維のような化学的修飾したセルロース繊維もまた使用することが出来る。合成繊維も使用してよく、これには酢酸セルロース、フッ化ポリビニル、塩化ポリビニルデン、アクリル繊維（オーロン等）、酢酸ポリビニル、非可溶性ポリビニルアルコール、ポリエチレン、ポリプロピレン、ポリアミド（ナイロン等）、ポリエルテル、二成分繊維、三成分繊維および、それらの混合物等から作られた合成繊維が含まれる。繊維表面が親水性であるか、または親水性に処理してあることが好ましい。該貯蔵層はまた、液体維持の改善のために、例えばパーライト、珪藻土、バーミキュウライト等の充填材を含有することもできる。
もし吸収性ゲル状材料を不均一に担体に分散させる場合であっても、該貯蔵層は局所的に均一にすることができる。即ち、貯蔵層内の一方向または数方向に沿って分布勾配をつけたりしてもよい。不均一な分布はまた、部分的にまたは完全に吸収性ゲル状材料を囲んでいる担体のラミネートにも当てはまる。
（ｃ）任意の繊維質（「打ち粉」）層
本発明の吸収性構成物に含まれる任意の要素は、繊維質層であり、これは前記貯蔵層に隣接し、典型的には該貯蔵層の下層に位置する。この下地繊維層は、吸収性構成物を製造する際に、貯蔵層においてその上に吸収性ゲル状材料を設置するための基体を提供することから、典型的には「打ち粉（dusting）」層と呼ばれる。実際、吸収性ゲル状材料が、繊維、シートまたは細長い小片のようなマクロ構成物の形態である場合には、この繊維性「打ち粉」層は含有される必要がない。しかしながら、この「打ち粉」層は、幾つかの付加的な体液操作能力、例えばパッドの長さに沿った体液の毛細血管作用による迅速な運搬のような能力を提供する。
（ｄ）吸収性構成物のその他の任意要素
本発明の該吸収性構成物は、吸収性織布において普通に存在する他の任意の要素を含むことが出来る。例えば、吸収性構成物の各々の層に、または各々の層の間に補強布を位置させることが出来る。そのような補強布は、体液の輸送に対する中間共通面の障害壁とならないように配置するべきである。熱による接着の結果として通常生じる構造的な一体性が得られるれば、通常、熱で接着された吸収性構造物のための補強布は必要とされない。
本発明の吸収性構成物に具備させることが出来、好ましくは第一若しくは第二の体液分布層に接してまたはその一部分として提供されるその他の要素は、臭抑制剤である。他の臭抑制剤に加えて、またはこれでコートされた活性炭、特に、適切なゼオライト若しくは粘土質の材料を、所望に応じて該吸収構成物に組み込むことができる。これらの要素は、必要とする如何なる形態であっても組み込めるが、独立して小片として含有められることが多い。
バックシート
バックシートは第一に、吸収されて吸収性構成物に含まれた侵出物により、その吸収性製品が接する、パンツ類、ズボン類、パジャマ類および下着類などのような製品が濡れるのを防止する。バックシートは、好ましくは液体（例えば月経血および／または尿）を通さない他の可撓性防水材料も使用出来が、好ましくは薄いプラスチックフィルムで製造される。ここで使用される「可撓性」の語は、従順であり、雑多な形や人体の曲線に容易に適応し得る材料を言う。このバックシートはまた、一方向または二方向の伸張可能な弾力性のある性質を有してもよい。
バックシートは、典型的には、吸収性構成物の全体に張り渡され、更に好ましいサイドフラップ、即ち側部ラッピング要素または羽根の一部若しくは全体にまで延出しても、その一部若しくは全体を形成してもよい。
バックシートは、織布または不織布材料、ポリエチレン若しくはポリプロピレンの可塑性フィルムのような重合性フィルムを具備してよく、フィルムコートした不織布材料のような合成材料を具備してもよい。バックシートは、好ましくは約０．０１２ｍｍ（０．５ｍｉｌ）から約０．０５１ｍｍ（２．０ｍｉｌ）までの厚さを有したポリエチレンフィルムである。
典型的なポリエチレンフィルムは、クロペイ社（Clopay Corporation of Cincinnati，Ohio）により名称Ｐ１８−０４０１の元に製造され、またエチル社（Ethyl Corporation，Visqueen Division，of Terre Haute，Indiana）により名称ＸＰ−３９３８５の元に製造されている。バックシートは、より布地に似た外観を提供するように、好ましくは形押し加工および／または艶消し仕上げされる。更に、バックシートは、吸収性構成物から蒸気を逃がすこと（即ち呼吸性であること）ができるが、一方ではなお侵出物がバックシートを通過するのを防止する。また、幾つかの層（例えば、フィルムに加えて不織布構成物）を具備した、呼吸性バックシートも出来る。
トップシート
ここで使用される「接合した（joined）」の語は、第一層を第二層に直接貼り合わせることにより、第一層が直接第二層に固定される構成と；第一層を中間層に貼り合わせ、それを今度は第二層に張り合わせることにより、第一層が間接的に第二層に固定される構成とを包含する。両層は、好ましくは、それらの全界面の少なくとも２５％に亘って相互にに接合される。
トップシートの層は互いに、接着剤、縫合、加熱および／若しくは加圧接合、力学的機械的接合、超音波接合、トップシートの層を構成する構造要素の係合若しくは絡み合い（一方の層をもう一方の層に突き出すことなどによる）によって、または当業者に公知である如何なる他の方法によっても接合できる。
トップシートは、トップシートの使用者側面を提供する第一通過層、および第一通過層と吸収性構成物の間の第二通過層を具備する。
全体としてのトップシートは（従って各々の層が個々に）は追従性であり、柔軟な触感があり、着用者の皮膚に対して非炎症性であることが必要である。それはまた、一方向または二方向に伸張させることが可能な弾力性のある性質も有することが出来る。トップシートまたはそれらの層の各々は、独自に吸収性構成物の全体に張り渡され、そして本発明の吸収性製品の好ましい羽根または側部ラッピング要素の一部若しくは全体にまで延出して、その一部若しくは全体を形成してもよい。
第一通過層は、ここで「大型孔」と呼ばれる孔、および所望に応じここで「小型孔」と呼ばれる孔を有するフィルム材料により提供される。これらの孔は、着用者側表面から吸収性構成物への容易な液体輸送を提供する。
第一通過層の孔に関する全ての測定において、他の言及がなければ、孔の断面積が最も小さい面使用した。
大型孔は個々に、１．４ｍｍ2から３．０ｍｍ2、好ましくは１．５ｍｍ2から２．５ｍｍ2までの解放面積を有する。他の全ての液体輸送孔を除く上部通過層における大型孔の総解放面積は、トップシートの第一層の表面積の５％から２０％、好ましくは１０％から２０％の範囲がよい。
吸収性製品のトップシートの第一層における任意の小型孔は、個々に１．４ｍｍ2未満の解放面積を有し、典型的には０．１５ｍｍ2以上である。一様に、より小型な孔はそもそも、通常液体輸送には適切ではなく、例えば呼吸を可能とする目的でガス透過性孔としてのみ機能できる。任意の小型孔は、０．２５ｍｍ2から０．４ｍｍ2の範囲が好ましい。
孔は、好ましくは、実質的に円または多角形である。それらの形は、［最も大きな内側対角線］：［最も小さな内側対角線］の割合が１から６の間の範囲、好ましくは１から３の範囲を有することにより制限される。第一層における全ての液体輸送孔の総解放面積は、第一層の総面積の１０％から４０％、好ましくは１５％から３５％の範囲である。
本発明のトップシートは、トップシートの着用者側表面全域に液体通過路または孔の不均一分布を有する。大型孔を具備したトップシートは、そのようなトップシートを具備した生理用ナプキンの着用者の幾人かに対して、不快感の原因になっていると見なされる傾向が高いことが最近分かってきた。
理論に縛られるものではないが、本発明で得られた利点の理由は次の通りであると思われる。例えば加熱工程による孔を形成する時、最初にその孔を満たしていた材料は除去されず、最終的に孔周辺のリムに集められる。孔の直径の増加に伴う孔リムの長さの増加よりも、それに伴う孔の解放面積の増加の方が速いので、孔が大きければ大きいほど、このリムは着用者にとってより顕著な存在となる。それ故、孔のリムに付着した付加的な材料は、より小型な孔よりもより大型な孔において増加する。しかしながらリム材料の増加に伴って、リムはまた、より粗くより堅くなる。その結果大型孔のリムは、小型孔に比べて、そのような孔のトップシートを具備した製品の着用者に対する刺激の原因となる傾向が高い。
吸収性製品およびその全ての主要素は、そのような製品の着用者を右側と左側に二分するような面に平行な長手軸を持っている。吸収性製品はまた、長手軸に垂直で且つ、該製品と同じ面にある横方向軸を持っている。ここで使用される「長手方向の中央」の語は、製品の中央を言い、長手軸と平行に広がっている。ここで使用される「横方向中央」の語は、製品の中央に当てはまり、横方向軸に平行に広がっている。
それ故に、孔の好ましい分布とは、トップシートに大型孔のない長手方向のマージンを置くべきものであることが分かった。それ故本発明のトップシートは、前記トップシートの前記第一通過層の一体的な延設部を有する伸張を具備する羽根若しくは側部ラッピング要素を持たない製品においてトップシートの第一通過層の最大横方向幅の長手方向の軸中央９０％に、前記で言及した大型液体輸送孔を分布するのみであることを要求する。好ましくは、これらの大型孔は、前記トップシートの前記第一通過層の完全な延設部を有する羽根若しくは側部ラッピング要素を持たない製品においてトップシートの第一通過層の最大横方向幅の長手方向の軸中央８０％に、最も好ましくは７０％に分布される。
前記トップシートの第一通過層の一体的な延設部を有する羽根や側部ラッピング要素を有する製品のためには、大型孔は、羽根や側部ラッピング要素の折り曲げ軸の近隣には設置しないことが、本発明に従い必要である。羽根や側部ラッピング要素を有する製品のためには、本発明のトップシートの第一層を羽根や側部ラッピング要素の中に延設することが出来る。そのような、前記の折り曲げ軸の間の最も狭い横方向の距離の５％の間隔、好ましくは１０％の間隔には、各々の羽根や各々の側部ラッピング要素のそれぞれの折り曲げ軸の周辺には、大型液体輸送孔を穿孔しない部分を残すことが好ましい。
所望に応じて、穿孔トップシートの製造の容易さのためには、層が羽根や側部ラッピング要素と一体になっていてもトップシートの第一層に大型孔を設けることを可能にするようなより特殊な状態を満足させるように、羽根や側部ラッピング要素の折り曲げ軸の間の最も狭い横方向の距離の長手方向中央９５％、好ましくは８５％、最も好ましくは７０％の範囲にだけ大型孔を与えることも可能である。
同様な条件下においてもまた、本発明の態様はまた、製品の着用者側表面の最長の長手方向の長さの横方向中央の８０％にのみ、好ましくは６５％にのみ、最も好ましくは５０％にのみ分布される大型孔を有することもまた好ましい。
本発明の基本的な、または好ましい態様から得られる付加的な利点は、液体捕捉を行う可能性が最も高い場所により大きい解放面積を設置するように、大型液体輸送孔を吸収性製品の中央に密集させていることである。従って、このことは、各々の吸収性製品の吸収性において利点を提供する。
特に、第一層が一般的に当該製品と同じ広がりを有するのであれば、製品の中央に集中した大型液体輸送孔を分布が、選択された穿孔によりトップシートの第一フィルム層においてそのような孔分布を提供することにより達成出来ることは、当該者には明らかである。その代わりとして、トップシートの第一フィルム層において、液体輸送孔が望まれる領域にはトップシートの第二層のみを与え、当該領域の外部において着用者に接触するトップシートの外側層だけでよいことは言うまでもない。これは、第一層の一体的延設部を具備する、羽根や側部ラッピング要素を有する製品とそれらを有さない製品との両方に対して可能である。
通常の液体輸送孔は、該孔の壁が基礎のフィルムの表面、即ちフィルムに穿孔する前のフィルム表面のレベルを超えて延出するように、フィルムに形成することが出来る。吸収性製品におけるこれらの延出する壁の方向は、その製品の衣服側表面にに向かう方向である。第一層の孔壁の延出の量は、孔壁が依存するフィルム表面形態を、少なくとも０．３ｍｍ越える。好ましくは、孔壁は、当業者に周知の漏斗またはベンチュリチャネル（venturichannel）を形成する。
材料の安定性を確立するために、隣り合う大型孔の間の最短距離は、それらの特定の形態及びサイズとは無関係に、好ましくは少なくとも１．０ｍｍ、より好ましくは１．５ｍｍである。この距離は、吸収性製品の使用者側表面に最も近い部位におけるフィルム表面で測定した。
また典型的なトップシートの場合と同様に、フィルムの材料は、最初に水と接触する際に、蒸留水との接触角が９０°未満の角の程度になるような、親水性を与えることが好ましい。これは、フィルムを表面処理することによって達成することが出来る。第一層を提供する表面処理された重合性フィルムとしては、界面活性剤がフィルム表面に永久的に固定されているフィルムを使用することは有用であることが認められている。これらは、いわゆる樹脂集積（resin integrated）界面活性剤処理フィルム材料である。これらのフィルムは、蒸留水によって繰り返し湿潤したときでさえ、蒸留水との初回接触角と略同様の接触角が提供できる。
第一層のもう一つの態様において、着用者側表面トップシートは液体が孔の方向へ向くように試薬で処理される。そのような試薬は、自浄作用を処理表面に与えるシリコンまたはテフロンがよい。この処理は、前述した界面活性剤処理に追加して行うことが出来る。
ＥＰ−Ｏ２０５２８６、ＥＰ−０−１６５２０８、ＥＰ−０−１８０２０、ＥＰ−０−５９５０６またはＵＳ−３，９２９，１３５に開示されるそのようなフィルムは、本願の請求の範囲に記載の要件に合致するとすれば、該トップシートの第一通過層に、適切なものとして明示される。第一通過層のための要件に合致するものと仮定して、他の適切な成形フィルムは、米国特許４，３２４，２４６、米国特許４，３４２，３１４、米国特許４，４６３，０４５および米国特許５，００６，３９４で記述されている。成形フィルムにおいて、特に好ましい微小孔の形成は、米国特許４，６０９，５１８および米国特許４，６２９，６４３に開示されている。これらの微小孔はまた、０．１５ｍｍ2未満で且つ本質的に呼吸能を提供するとすれば、提供される該トップシートの第一通過層に具備されることができる。そのようなフィルムの製造法は当業者に周知であり、また前記の従来技術の参考文献中に開示されている。
トップシートの第二通過層は、有孔の第二フイルム材料によって提供される。その第二通過層はまた、典型的には第一通過層と同じ大きさであるが、中央に（長手方向の中央および／若しくは横方向中央）にのみ存在させてもよく、または第一通過層の周囲を越えて、特に、存在する場合には羽根や側部ラッピング要素の領域にまで延設することができる。
本質的にこの第二通過層は、好ましくは大型孔を避けるべきである点を除いては、第一通過層フィルムと同様であってよい。幾つかの大型孔が存在する場合には、それらは総解放面積の１０％以下でしか、第一層の大型孔と重ならないように存在するべきであり、さもなくば、それは再湿潤やマスキングの問題の原因となる。第二フィルム層はまた、フィルムの一表面に垂下した壁の部分を有さない単純な孔を有することも可能である。
第二フィルム材料は、液体に対する障壁を存在させないために、少なくとも第一層のフィルム材料と同様な親水性を有することが好ましい。第一フィルムよりもより親水性がある（またはより撥水性に欠ける）ことは更に好ましく、これは第一層を通過した後に、吸収性構成物の方に液体を方向付ける力を創り出す。
両層はまた、大凡同様な総解放面積を有することも重要である。好ましくは第一フィルム層よりも１０％大きい、最も好ましくは２０％以上大きい総解放面積を第二層が有することである。